(57)【要約】【課題】移動局との通信可能な基地局が非常送状態にあっても、かかる基地局を探索するための操作を簡略化し、短時間で確実に探索することを可能にする。【解決手段】基地局１が、電源が商用電源からバックアップ電池に切り替わって非常送モードになると、常送信号が送信されず、移動局５でこの基地局１のチャンネル指定とプレス操作とが行なわれない限り、この移動局５は基地局１との通信ができない。そこで、移動局５では、これに登録されている各基地局１のチャンネルを順に指定するとともに、指定したチャンネルで同期バーストを送信するポーリングを行ない、この指定されたチャンネルの基地局１がこの同期バーストを受信すると、この基地局１が一時常送モードに切り替わって、この移動局との通信が可能となる。一時常送モードは、通信が予め決められた時間ないと、非常送モードに切り替わる。【選択図】図１
2011244150.tif 000002
【特許請求の範囲】
【請求項１】
基地局と移動局との間でプレストーク通信を行なう無線システムにおいて、
該基地局は、常時移動局との通信を可能とする常送信号を送信する常送モードと、該常送信号を送信しない非常送モードと、該非常層モードから切り替えられ、通信が予め設定された期間通話が途切れない限り継続する一時常送モードとが切り替え可能であって、
該基地局が該非常送モードにあるとき、該移動局では、プレストークの開始のためのプレス操作が行なわれることにより、該移動局に登録されている各該基地局のチャンネルを順次指定するとともに、指定したチャンネルで同期バーストを送信するポーリングが行なわれ、
該非常送モードにある該基地局は、該当するチャンネルで送信される該同期バーストを受信することにより、該非常送モードから該一時常送モードに切り替わり、該プレス操作がなされた該移動局との通信を可能とする
ことを特徴とする無線システム。
【発明の詳細な説明】
【技術分野】
【０００１】
本発明は、基地局，移動局間の通信や移動局間の通信を行なう無線システムに係り、基地局が停電したりなどして非常送状態にあるときの運用制限を排除することができるようにした無線システムに関する。
【背景技術】
【０００２】
図４は無線システムにおける基地局と移動局との関係を示す図である。
【０００３】
同図において、各通信可能エリアａ，ｂ，ｃ毎に基地局Ａ，Ｂ，Ｃが設けられており、基地局Ａは通信可能エリアａ内で移動中の移動局と通信可能であり、基地局Ｂは通信可能エリアｂ内で移動中の移動局と通信可能であり、基地局Ｃは通信可能エリアｃ内で移動中の移動局と通信可能である。また、通信可能エリアａ，ｂが重なった通信可能エリアａｂ内の移動局は基地局Ａ，Ｂと通信可能であり、通信可能エリアｂ，ｃが重なった通信可能エリアｂｃ内の移動局は基地局Ｂ，Ｃと通信可能であり、通信可能エリアｃ，ａが重なった通信可能エリアｃａ内の移動局は基地局Ｃ，Ａと通信可能であり、さらには、通信可能エリアａ，ｂ，ｃが重なった通信可能エリアａｂｃ内の移動局は基地局Ａ，Ｂ，Ｃと通信可能である。従って、図示するように、通信可能エリアａを移動中の移動局ｘは、移動局Ａと通信することができるが、移動局Ｂ，Ｃと通信をすることができない。
【０００４】
図５は図４での基地局側の一具体的な構成を示すブロック構成図であって、１1，……，１Nは基地局、２1，……，２Nはバックアップ電源、３は回線切替器、４1，……，４Nは指令卓、５ａ，５ｂは移動局である。
【０００５】
同図において、各基地局１1，……，１Nは夫々、回線切替器３を介して指令卓４1，……，４Nに接続されており、指令卓４1，……，４N（以下では、これらを総称するとき、指令卓４という）によって遠隔制御され、また、移動局５ａ，５ｂ（以下では、これらを総称するとき、移動局５という）との通信制御がなされる。
【０００６】
基地局１1，……，１N（以下では、これらを総称するとき、基地局１という）は夫々、異なるチャンネルが設定されており、設定されたチャンネルで移動局５との通信を行なう。また、電源切替手段が設けられていて、かかる電源切替手段によって商用電源が供給されているときには、常時通信可能な常送状態（常送モード）になり、商用電源が断となったときには、バックアップ電池２1，……，２N（以下では、これらを総称するとき、バックアップ電池２という）に電源が切り替えられて、一時的に常送状態にされなければ送信ができない非常送状態（非常送モード）となる（例えば、特許文献１及び特許文献２参照）。
【０００７】
まず、図６により、図５において、常送状態にある基地局１を介した移動局５間の通話（図５では、移動局５ａ，５ｂ間の破線矢印で示す通話）について説明する。
【０００８】
同図において、基地局１は、商用電源がオンとなって常送状態にあるときには（ステップＳ１０１）、この基地局１のチャンネルをＭチャンネル（但し、Ｍは１以上の整数）とすると、このＭチャンネルで通信が可能な状態にあることを知らせるための空線信号（上記の常送信号と同様）を送信している（ステップＳ１０３）。一方、移動局５ａ，５ｂは、それらに登録されている１〜Ｎチャンネル（但し、Ｎは１以上の整数であって、Ｍ≦Ｎ）のスキャン（チャンネルスキャン）を行ない、通信可能な基地局１を探索している（ステップＳ１０２ａ，Ｓ１０２ｂ）。
【０００９】
なお、ここでは、移動局５ａ，５ｂは、同じ基地局１（例えば、基地局１1）の通信可能エリア内にあるものとするが、異なる基地局１（例えば、基地局１N）の通信可能エリア内にあってもよい。
【００１０】
移動局５ａ，５ｂでは、かかるチャンネルのスキャンでＭチャンネルを指定すると、Ｍチャンネルの基地局１からの空線信号を受信し、チャンネルのスキャンを停止するとともに（ステップＳ１０４ａ，Ｓ１０４ｂ）、「圏内」であることを示す表示部の点灯があって、基地局１との通信が可能な状態になる（ステップＳ１０５ａ，Ｓ１０５ｂ）。
【００１１】
移動局５ａ，５ｂは通話をするためのプレススイッチが設けられており、一方の移動局でこのプレススイッチが操作されると、その期間この一方の移動局５から他方の移動局５への通話が可能となる。かかるプレススイッチの操作がプレス操作であり、このプレス操作がなされている期間になされる通話がプレストークである。
【００１２】
上記の基地局１との通信が可能な状態で、いま、移動局５ｂでプレス操作による発呼が行なわれると（ステップＳ１０６）、移動局５ｂから基地局１を介して移動局５ａに同期バーストが送信され（ステップＳ１０７）、移動局５ａでは、基地局１を介してこの同期バーストが受信されて移動局５ｂとの同期が取られる（ステップＳ１０８）。これにより、移動局５ｂから移動局５ａへの通話が可能となり、移動局５ｂからは、この同期バーストに続いて、Ｔチャンネル（トラフィックチャンネル）で通話の音声信号が基地局１を介して移動局５ａに送信され、移動局５ｂから移動局５ａへの通話（プレストーク）が可能となる（ステップＳ１０９）。
【００１３】
その後、かかるプレストークが終了して移動局５ｂでプレス操作が解除されると（ステップＳ１１０）、移動局５ｂから基地局１を介して移動局５ａに空線信号が送信される（ステップＳ１１１）。これにより、基地局１は、移動局５ａ，５ｂに空線信号を送信し、これらに通信可能であることを通知する（ステップＳ１１２ａ，Ｓ１１２ｂ）。
【００１４】
そこで、かかる状態でこの空線信号を受信している移動局５ａでプレス操作が行なわれて発呼が行なわれると（ステップＳ１１３）、移動局５ａから基地局１を介して移動局５ｂに同期バーストが送信され（ステップＳ１１４）、移動局５ａでは、基地局１を介してこの同期バーストが受信されて移動局５ｂとの同期が取られる（ステップＳ１１５）。これにより、移動局５ａから移動局５ｂへの通話が可能となり、移動局５ａからは、この同期バーストに続いて、Ｔチャンネル（トラフィックチャンネル）で通話の音声信号が基地局１を介して移動局５ｂに送信され、移動局５ａから移動局５ｂへのプレストークが可能となる（ステップＳ１１６）。
【００１５】
その後、かかるプレストークが終了して移動局５ａでプレス操作が解除されると（ステップＳ１１７）、移動局５ａから基地局１を介して移動局５ｂに空線信号が送信される（ステップＳ１１８）。これにより、基地局１は、移動局５ａ，５ｂに空線信号を送信し、これらに通信可能であることを通知する（ステップＳ１１９ａ，Ｓ１１９ｂ）。
【００１６】
以下同様にして、移動局５ａ，５ｂのうちの一方でプレス操作が行なわれると、その移動局５から他方の移動局への通話が可能となり、プレス操作により、プレストークができる。
【００１７】
次に、図７を用いて、基地局１が常送状態にあるときと非常送状態にあるときとでの移動局５と他の移動局５もしくは指令卓４との間の通信動作について説明する。
【００１８】
基地局１が常送状態にあるときには（ステップＳ２００）、図６の場合と同様に、基地局１からこれに割り当てられたチャンネルで常送状態であることを示す常送信号（上記の空線信号）が送信される（発呼）。この送信を、図５においては、基地局１から移動局５ａに向いた実線矢印で示す。
【００１９】
このとき、この移動局５は、これに登録されている各基地局１のチャンネルを受信チャンネルとして、かかる受信チャンネルを順次切り替えることにより、常送信号を送信している基地局１、即ち、常送状態にある基地局１を探索する。移動局５のかかる動作を、上記のように、チャンネルスキャンというが、かかるチャンネルスキャンによってあるチャンネルの常送信号を受信すると（ステップＳ２０１）、このチャンネルに該当する基地局１がチャンネルスキャンによって探索した基地局として、チャンネルスキャンを完了し、これとともに、「圏内」であることを示す表示部での点灯がある（ステップＳ２０２）。このことは、この該当する基地局の通信可能エリア内にあることをこの移動局５が認識したことになり、この移動局５でのプレストークのためのプレス操作することができるようになる。そして、このプレス操作（発呼）を行なうことにより、そのプレス操作をしている期間（以下、プレス期間という）、図５で基地局１側に向いた実線矢印で示すように、この該当する基地局１との、従って、該当する指令卓４との通話や、図６で説明したように、この基地局１を介した他の移動局５との通話、即ち、プレストークが可能となる（ステップＳ２０３）。
【００２０】
また、電源切替手段によって基地局１で商用電源が断となると（ステップＳ２０４）、その電源がバックアッブ電源２に切り替わり、この基地局１は非常送状態となる（ステップＳ２０５）。
【００２１】
一方、移動局５では、これまで常送状態にあった基地局１が、上記のようにして、非常送状態になると、「圏内」点灯がなくなり（ステップＳ２０７）、チャンネルが登録されている基地局をチャンネルスキャンし、常送信号を送信している基地局１の探索が行なわれる（ステップＳ２０８）。このチャンネルスキャン中にプレス操作がなされると（ステップＳ２０９）、このプレス操作がなされたときのチャンネルが指定されることになるが、このチャンネルに該当する基地局１が非常送状態にあると、この基地局１から常送信号が受信されていないことになるので、プレス操作がなされた（ステップＳ２０８）ことによる信号（図６での同期バースト）の送信が禁止され（ステップＳ２０９）、また、チャンネルスキャンが停止する（ステップＳ２１０）。
【００２２】
ここで、この移動局５が存在する通信可能エリアの基地局１が非常送状態にあっても、この移動局５とこの基地局１との間では、この移動局５で、この基地局１のチャンネルを指定するとともに、プレス操作を行なうことにより、プレストークが可能となる。
【００２３】
そこで、チャンネルスキャンが停止した（ステップＳ２１０）後、この移動局５において、かかる基地局１のチャンネルを指定し（ステップＳ２１１）、プレス操作を行なうことにより（ステップＳ２１２）、この基地局１が非常送状態から一時常送状態に切り替わり（ステップＳ２１３）、この移動局５とこの基地局１とのプレストークが可能となる。しかしながら、この移動局５が存在する通信可能エリアの基地局１のチャンネルを認識できず、これを指定することができない場合には、順次の基地局１について、チャンネルの指定とプレス操作との操作を、通信可能となるまで（即ち、この移動局５が存在する通信可能エリアの基地局１のチャンネルが指定されるまで）、順次行なうことにより（ステップＳ２１１，Ｓ２１２を繰り返すことにより）、この移動局と基地局１との通信が可能な状態とすることができる。
【００２４】
このようにして、移動局５がそれが存在する通信エリアでの基地局１のチャンネルを指定して、この基地局１が一時常送状態になると（ステップＳ２１３）、この移動局１は移動局５に常送信号を送信する。この移動局５は、この常送信号を受信すると（ステップＳ２１４）、「圏内」を表わす点灯をして発呼による通信が可能な状態となり（ステップＳ２１５）、この基地局５と、従って、その指令卓４、もしくは他の移動局５と音声通信、即ち、プレストークを行なうことができる（ステップＳ２１６）。
【００２５】
このようにして、基地局１と移動局５との通信が行なわれるが、予め決められた一定時間無通話（無通信）状態が続くと（ステップＳ２１７）、基地局５は、パックアップ電池２（図５）が電源として使用されていることから、常送状態が終了して非常送状態がに戻り、移動局５はこの基地局１との通信（プレストーク）ができなくなる（ステップＳ２１８）。なお、このときには、移動局５では、「圏内」の点灯は終了する。
【００２６】
その後、この基地局１で商用電源が復旧すると（ステップＳ１１９）、この基地局１は常送状態に戻り（ステップＳ２２０）、ステップＳ２０１，Ｓ２０２，Ｓ２０３と同様に、通常の通信（プレストーク）が可能となる。
【００２７】
このようにして、基地局１が常送状態（常送モード）にあっても、非常送状態（非常送モード）にあっても、移動局５は基地局１を介した他の移動局５や指令卓４とのプレストークが可能となる。
【先行技術文献】
【特許文献】
【００２８】
【特許文献１】特開２００３ー２５８６７２号公報
【特許文献２】特開２００８ー２５２３２８号公報
【発明の概要】
【発明が解決しようとする課題】
【００２９】
上記のような従来技術では、基地局の商用電源が断の非常送モード時、この基地局の通信可能エリア内の移動局が発呼してこの基地局と通信（即ち、プレストーク）を可能とするためには、図７のステップＳ２０７〜Ｓ２１０で説明したように、チャンネルスキャンでこの基地局を探索するにしても、プレス操作を伴うものであり、プレス操作をすると、チャンネルスキャンが停止してしまうことから、チャンネルスキャンによる基地局の探索は難しく、このため、チャンネルを指定してプレス操作を行なうことにより、通信可能な基地局を探索する方法が取られている。
【００３０】
しかしながら、チャンネル指定とプレス操作とによるかかる基地局の探索方法では、かかる基地局のチャンネルが認識されている場合には、このチャンネルを指定してプレス操作をすることにより、かかるチャンネルの基地局との通信が可能となり、直ちにかかる通信可能状態を設定することができるものであるが、移動局のユーザとしては、夫々の基地局のチャンネルを認識していないことが通常である。このため、直ちに通信可能な基地局を探索できるようなチャンネルの指定を行なうことは困難であり、通信可能な基地局を探索するためには、これが探索されるまで、チャンネル指定とプレス操作とを繰り返し行なう必要があり、手間と時間を要することになる。
【００３１】
本願発明の目的は、かかる問題を解消し、移動局との通信可能な基地局が非常送状態にあっても、かかる基地局を探索するための操作を簡略化し、短時間で確実に探索することができるようにした無線システムを提供することにある。
【課題を解決するための手段】
【００３２】
上記目的を達成するために、本発明は、基地局と移動局との間でプレストーク通信を行なう無線システムであって、基地局は、常時移動局との通信を可能とする常送信号を送信する常送モードと、常送信号を送信しない非常送モードと、非常層モードから切り替えられ、通信が予め設定された期間通話が途切れない限り継続する一時常送モードとが切り替え可能であって、基地局が非常送モードにあるとき、移動局では、プレストークの開始のためのプレス操作が行なわれることにより、移動局に登録されている各基地局のチャンネルを順次指定するとともに、指定したチャンネルで同期バーストを送信するポーリングが行なわれ、非常送モードにある基地局は、該当するチャンネルで送信される同期バーストを受信することにより、非常送モードから一時常送モードに切り替わり、プレス操作がなされた移動局との通信を可能とすることを特徴とする。
【発明の効果】
【００３３】
本発明は、基地局が常送信号を送信しない非常送モードにあっても、移動局でプレス操作が行なわれることにより、各基地局のチャンネルが順に指定され、指定されたチャンネルで同期バーストが基地局に送信されるので、この同期バーストを受信した基地局がこの移動局との通信が可能となるものであって、移動局での操作がプレス操作をするだけで操作が簡略化され、しかも、確実に基地局との通信が可能な状態となる。
【図面の簡単な説明】
【００３４】
【図１】基地局とその通信可能エリア内の移動局との間の通信のための動作の一具体例を示すフローチャートである。
【図２】図１に示すフローチャートを基にした２つの移動局間の通信を行なうための動作の一具体例を示すフローチャートである。
【図３】本発明による無線システムの一実施形態における基地局の一具体例の概略構成を示すブロック構成図である。
【図４】無線システムにおける基地局と移動局との関係を示す図である。
【図５】図４での基地局側の一具体的な構成を示すブロック構成図である。
【図６】図５での移動局間のプレストーク通信の動作の従来例を示すフローチャートである。
【図７】図５での移動局と基地局の指令卓との間のプレストーク通信の動作の従来例を示すフローチャートである。
【発明を実施するための形態】
【００３５】
以下、本発明の実施形態を図面により説明する。
【００３６】
本発明による無線システムの一実施形態も、図５に示す構成をなしており、各基地局１1，……，１Nが夫々、回線切替器３を介して指令卓４1，……，４Nに接続され、指令卓４1，……，４Nによって遠隔制御され、また、移動局５ａ，５ｂとの通信制御がなされる。
【００３７】
基地局１は夫々、異なるチャンネルが設定されており、設定されたチャンネルで移動局５との通信を行なう。また、電源切替手段が設けられていて、かかる電源切替手段によって商用電源が供給されているときには、常時通信可能な常送状態（常送モード）にあり、商用電源が断となったときには、バックアップ電池２に電源が切り替えられて、一時的に常送状態にされなければ送信ができない非常送状態（非常送モード）となる。
【００３８】
また、図４に示すように、これら基地局１毎に通信可能エリアが設定され、各移動局は、それが存在する通信可能エリアの基地局１を介して、その基地局１の指令卓４や他の移動局５との通信が可能となる。
【００３９】
図３は本発明による無線システムの一実施形態における基地局１の一具体例の概略構成を示すブロック構成図であって、６は送受信用アンテナ、７は無線部、８は制御部、９は外部Ｉ／Ｏ（入出力）部である。
【００４０】
同図において、無線部７は、制御部８の制御のもとに、送受信用アンテナ６で受信された音声信号や制御信号などの操作卓４または移動局５からの無線信号を取得し、これを処理して制御部８に供給するとともに、制御部８からの音声信号や制御信号などを処理し、無線信号として送受信用アンテナ６から操作卓４または移動局５に送信する。また、無線部７は、そこに障害が発生すると、無線部障害情報を制御部８に送出する。
【００４１】
制御部８は、無線部７で受信した音声信号や制御信号がその送信元の移動局５ａとこれと同じ通信可能エリア内の他の移動局５ｂに送信する信号であるときには、この信号を無線部７に送出して送受信アンテナ６から送信させ、また、送信元の移動局５ａが存在する通信可能エリアとは異なる通信可能エリア内の他の移動局５に送信する信号であるときには、回線切替器３を介して対象となる異なる通信可能エリアの他の基地局１に送信し、さらに、送信元の移動局５ａが存在する通信可能エリアのこの基地局１の指令卓４との通話のための信号であるときには、この無線部７からの信号を外部Ｉ／Ｏ部９からこの指令卓４に送出する。
【００４２】
また、制御部８は、指令卓４からのプレストークによる通話用の音声信号や制御信号を外部Ｉ／Ｏ部９から送出されると、この通話用の信号を無線部７に送出する。無線部７では、上記のように、この信号を処理し、無線信号として、送受信用アンテナ６から該当する移動局５に送信する。
【００４３】
さらに、制御部８は、指令卓４から商用電源のＯＮ／ＯＦＦを指令する商用電源断信号を外部Ｉ／Ｏ部９を介して取得する。そして、制御部８は、指令卓４から商用電源のＯＦＦを指令する商用電源断信号を取得すると、商用電源をＯＦＦにしてバックアップ電池２を電源とすることにより、基地局１を非常送状態に設定し、また、この基地局１が非常送状態にあるときに指令卓４から商用電源のＯＮを指令する商用電源断信号を取得すると、バックアップ電池２をＯＦＦし、商用電源をＯＮにして電源とすることにより、基地局１を常送状態に設定する。
【００４４】
次に、この実施形態の動作について説明する。
【００４５】
図１は基地局１とその通信可能エリア内の移動局５との間の通信（プレストーク）のための動作の一具体例を示すフローチャートである。なお、この移動局５が存在する通信可能エリアの基地局１を、以下、当該基地局１ということにする。
【００４６】
同図において、当該基地局１が常送モードにあるとすると（ステップＳ３００）、この当該基地局１は、空きがあって通信可能状態にあるとき、常送信号（空線信号）を送信しており、移動局５の電源が投入されてこの常送信号を受信すると（ステップＳ３０１）、プレストークによる通信が可能な状態となって、その表示部に「圏内」が点灯し、通信可能状態であることがユーザに通知される（ステップＳ３０２）。そして、プレス操作をすることにより、当該基地局１との間で通信（プレストークによる通話）が行なわれる（ステップＳ３０３）。
【００４７】
しかる後、当該基地局１でこれまでの電源としての商用電源がＯＦＦとなり（ステップＳ３０４）、これによってこの当該基地局１が非常送モードになると（ステップＳ３０５）、移動局５では、表示部での「圏内」の表示が消灯して通信が可能な状態でないことがユーザに通知され（ステップＳ３０６）、これとともに、チャンネルスキャンが行なわれる（ステップＳ３０７）。そして、この移動局５では、このチャンネルスキャン中、プレス操作が行なわれて送信が起動させると（ステップＳ３０８）、この移動局５に登録されている各基地局１のチャンネル順に、同期バーストを該当するチャンネルで送信するポーリングが行なわれる（ステップＳ３０９）。
【００４８】
このポーリング中、当該基地局１がこれに該当するチャンネルで同期バーストを受信すると（ステップＳ３１０）、この当該基地局１では、制御部８（図３）が使用電源をバックアップ電池２から商用電源に切り替えて一時常送モードが設定され、常送信号（空線信号）が送信される（ステップＳ３１１）。この一時常送モードは、一定時間無通話状態が続くと、制御部８が使用電源を商用電源からバックアップ電池２に切り替えて非常送モードに切り替えるものである。
【００４９】
一方、移動局５では、チャンネルが登録されている全ての基地局１に対して、ポーリングが終了すると、登録されている各基地局１のチャンネル順に常送信号を取得するためのチャンネルスキャンが行なわれ（ステップＳ３１２）、一時常送モードになった当該基地局１からの常送信号が受信されると（ステップＳ３１３）、上記の当該基地局１が常送モードにあるときと同様、その表示部に「圏内」が点灯して通信可能な状態にあることがユーザに通知し（ステップＳ３１４）。そして、通信操作をすることにより、当該基地局１との間、従って、他の移動局５やこの当該基地局１での指令卓４との間で通信（プレストークによる通話）が行なわれる（ステップＳ３１５）。
【００５０】
移動局５と当該基地局１との間でかかる通話が行なわれている限り、この当該基地局１は一時常送モードに設定されており、このままその通話を継続することができるが、予め決められた一定時間通信（通話）が停止して無通信状態になると（ステップＳ３１６）、当該基地局１の制御部８がこれを検出し、電源をこれまでの電源を商用電源からバックアップ電源２に切り替えて当該基地局１を一時常送モードから非常送モードに切り替え、移動局５との通信が停止する（ステップＳ３１７）。これとともに、移動局では、ステップＳ３０６，３０７と同様に、「圏内」が消灯して通信が可能に状態でないことをユーザに通知し、チャンネルスキャンが行なわれるが、このチャンネルスキャンでは、当該基地局１は、非常送モードとなっているので、常送信号を送信しておらず、このため、移動局５はこの当該基地局１と通信可能な状態となることができない。再度通信可能状態とするためには、ステップＳ３０８のように、プレス操作を行ない、ステップＳ３０９のように、ポーリングを行なわせるようにしなければならない、
その後、当該基地局１において、制御部８が電源をバックアップ電池２から商用電源に切り替え（ステップＳ３１８）、非常送モードから常送モードに切り替えると（ステップＳ３１９）、当該基地局１から常送信号（空線信号）が送信され、移動局５では、先のステップＳ３０１，Ｓ３０２の場合と同様、この常送信号が受信されると（ステップＳ３２０）、通信可能な状態となって「圏内」が点灯され、通信可能な状態にあることをユーザに通知する（ステップＳ３２１）。
【００５１】
このようにして、この実施形態では、当該基地局が非常送モードにあるときには、移動局では、チャンネルスキャンを行なうが、このとき、プレストークによる通話を行なうためのプレス操作が行なわれることにより、基地局１に対してポーリンクが行なわれることにより、当該基地局１を一時常送モードとすることができて、移動局はこの当該基地局との通信が可能となり、通話を開始するために行なわれるプレス操作をするだけで、格別な操作を必要とせず、当該基地局とのプレストークを短時間でかつ確実に可能な状態とすることができる。
【００５２】
図２は図１に示すフローチャートを基にした２つの移動局間の通信を行なうための動作の一具体例を示すフローチャートである。
【００５３】
同図において、当該基地局１で制御部８が商用電源をＯＦＦとし（ステップＳ４００）、バックアップ電源２をＯＮして非常送モードが設定されると（ステップＳ４０１）、移動局５ａ，５ｂでは、そこに登録されている基地局のチャンネルについて、チャンネルスキャンが行なわれる（ステップＳ４０２ａ，Ｓ４０２ｂ）。このとき、非常送モードにある当該基地局１では、常送信号（空線信号）を送信していないので、移動局５ａ，５ｂはチャンネルスキャンによってこの当該基地局１を探索することができない。
【００５４】
かかる状態で、移動局５ｂで、移動局５ａと通話（プレストーク）を開始するために、プレス操作をすると（ステップＳ４０３）、この移動局５ｂに登録されている各基地局１のチャンネル順に、同期バーストを該当するチャンネルで送信するポーリングが行なわれ（ステップＳ４０４）、このポーリング中に、当該基地局１がこれに該当するチャンネルで同期バーストを受信すると、この当該基地局１では、制御部８が使用電源をバックアップ電池２から商用電源に切り替えて一時常送モードが設定され（ステップＳ４０５）、移動局５ａ，５ｂに常送信号（空線信号）を送信する（ステップＳ４０６ａ，Ｓ４０６ｂ）。
【００５５】
移動局５ａ，５ｂでは、チャンネルが登録されている全ての基地局１に対して、ポーリングが終了すると、登録されている各基地局１のチャンネル順に常送信号を取得するためのチャンネルスキャンが行なわれ、一時常送モードになった当該基地局１からの常送信号が受信されると、この当該基地局１のチャンネル（Ｍｃｈ）でチャンネルスキャンを停止し（ステップＳ４０７ａ，Ｓ４０７ｂ）、表示部に「圏内」が点灯して通信可能な状態にあることがユーザに通知する（ステップＳ４０８ａ，Ｓ４０８ｂ）。
【００５６】
そして、プレス操作が行なわれた移動局５ｂから当該基地局１に同期バーストが送信され、当該基地局１から相手側の移動局５ａに送信される（ステップＳ４０９）。そして、これに続いて、移動局５ｂから通話用の音声信号がＴｃｈ（トラフィックチャンネル）で当該基地局１を介して相手側の移動局５ａに送信され、プレストークが行なわれる（ステップＳ４１０）。
【００５７】
その後、移動局５ｂでブレス操作が終了し、プレストークが終了すると（ステップＳ４１１）、この移動局５ｂから当該基地局１を介して通話相手の移動局５ａに空線信号が送信され、移動局５ａに通話が終了したことを通知する（ステップＳ４１２）。これに伴って、当該基地局１は、そのチャンネルが空いたことから、移動局５ａ，５ｂに空線信号を送信する（ステップＳ４１３ａ，Ｓ４１３ｂ）。
【００５８】
かかる状態で、次に、移動局５ａで、移動局５ｂとの通話（プレストーク）を開始するために、プレス操作をすると（ステップＳ４１４）、プレス操作が行なわれたこの移動局５ａから当該基地局１に同期バーストが送信され、当該基地局１から相手側の移動局５ｂに送信される（ステップＳ４１５）。そして、これに続いて、移動局５ａから通話用の音声信号がＴｃｈ（トラフィックチャンネル）で当該基地局１を介して相手側の移動局５ｂに送信され、プレストークが行なわれる（ステップＳ４１６）。
【００５９】
その後、移動局５ａでブレス操作が終了し、プレストークが終了すると（ステップＳ４１７）、この移動局５ａから当該基地局１を介して通話相手の移動局５ｂに空線信号が送信され、移動局５ｂに通話が終了したことを通知する（ステップＳ４１８）。これに伴って、当該基地局１は、そのチャンネルが空いたことから、移動局５ａ，５ｂに空線信号を送信する（ステップＳ４１９ａ，Ｓ４１９ｂ）。
【００６０】
このように、この具体例においても、先の図１に示す具体例と同様の効果が得られるとともに、他方の移動局５ｂからプレストークがなされて音声（通話）信号を受信した移動局５ａで、この移動局５ｂからのプレストークの終了後予め決められた期間が経過する前にプレス操作がなされると（ステップＳ４１４）、このとき、当該基地局１は一時常送状態が解除されず、非常送モードになっていないので、直ちに移動局５ａから移動局５ｂに同期バーストが送信されて（ステップＳ４１５）、移動局５ａから移動局５ｂへのプレストークが可能となり、移動局５ａ，５ｂ間でプレストークによる通話を継続することができる。
【符号の説明】
【００６１】
１，１1，……，１Nは基地局
２，２1，……，２Nはバックアップ電源
３は回線切替器
４，４1，……，４Nは指令卓
５，５ａ，５ｂは移動局
６は送受信用アンテナ
７は無線部
８は制御部
９は外部Ｉ／Ｏ部
【図１】
2011244150.tif 000003
【図２】
2011244150.tif 000004
【図３】
2011244150.tif 000005
【図４】
2011244150.tif 000006
【図５】
2011244150.tif 000007
【図６】
2011244150.tif 000008
【図７】
2011244150.tif 000009